(57)【要約】      （修正有）【課題】撮影光軸と表示部の視差が少なく、収納状態から複数の表示面方向への変位を容易に行う可動表示装置を提供する。【解決手段】表示部の収納状態を中立位置として異なる変位方向にそれぞれの回転軸を中心に可動させる第１変位手段と第２変位手段を有し、本体外観部には、該表示部を可動させるために手動で操作する回転操作部、本体筺体内には、該回転操作部の回転を伝達する回転伝達部が設けられ、該回転伝達部と噛みあった自転部を中心に公転する公転部を有するアイドラー装置が、該回転操作部の操作方向の切り替えによって公転方向が切り替わり、該第１変位手段と一体で回転する第１連結部、あるいは、該第２変位手段と一体で回転する第２連結部との間で選択的に連結され、回転操作部の駆動を伝達するとともに、該第１変位手段と該第２変位手段には、それぞれの第１連結部と第２連結部に噛みあった該アイドラー装置の公転部の離脱を防ぐ規制部を設けた。【選択図】図１
2016085241.tif 000002
【特許請求の範囲】
【請求項１】
本体筺体に対して表示面の向きが変位可能な表示部を有する可動表示装置において、本体筺体に対して表示部が密着した表示部収納状態と、該表示部の収納状態を中立位置として異なる変位方向にそれぞれの回転軸を中心に可動させる第１変位手段、および、第２変位手段を有し、該第２変位手段には、該表示部を該第１変位手段によって可動させるときの支点となる第１の支点、および、該第１変位手段には、該表示部を該第２変位手段によって可動させるときの支点となる第２の支点を有し、本体外観部には、該表示部を可動させるために手動で操作する回転操作部、本体筺体内には、該回転操作部の回転を伝達する回転伝達部が設けられ、該回転伝達部と噛みあった自転部を中心に公転する公転部を有するアイドラー装置が、該回転操作部の操作方向の切り替えによって公転方向が切り替わり、該第１変位手段と一体で回転する第１連結部、あるいは、該第２変位手段と一体で回転する第２連結部との間で選択的に連結され、回転操作部の駆動を伝達するとともし、該第１変位手段と該第２変位手段には、それぞれの第１連結部と第２連結部に噛みあった該アイドラー装置の公転部の離脱を防ぐ規制部を設けたことを特徴とする可動表示装置。
【請求項２】
アイドラー装置は、第１変位手段の第１連結部、あるいは、第２変位手段の第２連結部と噛みあった状態で、所定以上の回転伝達負荷が加えられた時、公転部を空転させる空転機構を有することを特徴とする請求項１に記載の可動表示装置。
【請求項３】
第１の変位手段に対して第１の支点、および、第２の変位手段に対して第２の支点は、表示部の対向する端面近傍に配置されていることを特徴とする請求項１又は請求項２に記載の可動表示装置。
【請求項４】
第１の変位手段に対して第１の支点、および、第２の変位手段に対して第２の支点は、表示部の対向する両端面近傍に一対で配置されていることを特徴とする請求項１乃至請求項３の何れか一項に記載の可動表示装置。
【請求項５】
回転操作部は、本体筺体保持している手の指で操作して表示部を本体筺体に対して変位させることを特徴とする請求項１乃至請求項３の何れか一項に記載の可動表示装置。
【請求項６】
回転操作部は、本体筺体背面に設け、親指操作で行うこと、あるいは、本体筺体上面に設け、人差し指操作で行うこと、あるいは、本体筺体上面稜線部に設け、人差し指操作で行うことを特徴とする請求項５に記載の可動表示装置。
【請求項７】
本体筺体に撮影レンズを有し、少なくとも撮影画像を表示する表示部とし、表示部は、本体筺体の撮影レンズの光軸の背面部に可動可能に配置されていることを特徴とする請求項１乃至請求項６の何れか一項に記載の可動表示装置。
【発明の詳細な説明】
【技術分野】
【０００１】
本発明は、表示部が本体部に対して可動する装置において、特に、静止画像、あるいは、動画像を撮影する撮影部を有し、表示部が本体収納状態から上向き下向きへの変位を行うことができる可動表示装置に関する。
【背景技術】
【０００２】
本体筺体に対して、別体の表示部が変位可能に連結されている撮影機器は、特許文献１のような形態が提案されている。撮影レンズ部に対して側方（主に撮影者から見て撮影レンズに対して左側）に配置した別体の表示部を、本体収納状態から１８０°開いた位置で、表示面を上向き下向きに回転させることにより表示部角度が変更可能としているため、静止画、あるいは、動画撮影中は、右手で本体筺体を保持し左手で表示部を持って、表示部角度を変位させることで、いろいろな撮影姿勢でも表示部を見ることができる。
【０００３】
また、他の形態として特許文献２、あるいは、特許文献３のような形態が提案されている。撮影レンズ部の背面側の本体筺体に表示部を本体に対してあおり方向に変位可能に連結させている。
【先行技術文献】
【特許文献】
【０００４】
【特許文献１】特開平１１―３３１６５０号公報
【特許文献２】特開平８―９８０６８号公報
【特許文献３】特開２００１―２１８６３８２号公報
【発明の概要】
【発明が解決しようとする課題】
【０００５】
しかしながら、上記特許文献１では、撮影レンズ部に対して、表示部が側方に離れているため、撮影者からみると撮影する被写体と表示面に表示される被写体の左右方向の距離ずれにより撮影者が表示面の延長上に被写体がいると錯覚してしまう、いわゆる視差を生じ、撮影する被写体に対してフレーミングが合わせづらいといった問題があった。
【０００６】
それに対して、上記特許文献２、あるいは特許文献３では、撮影レンズ部に対して、表示部が後方に位置しているため、撮影光軸と表示面の視差は生じにくいが、表示部を収納状態から一端、上方のあおり方向に起こしてから、上下回転方向にひねって表示角度を調整するため操作手数が多く、動画撮影時に上述のような動作を行うと撮影される画像がぶれやすいといった問題があった。
【０００７】
本発明の目的は、撮影光軸と表示部の視差が少なく、収納状態から複数の表示面方向への変位を容易に行う可動表示装置を提供することにある。
【課題を解決するための手段】
【０００８】
上記の目的を達成するため、請求項１の発明は、本体筺体に対して表示面の向きが変位可能な表示部を有する可動表示装置において、本体筺体に対して表示部が略密着した表示部収納状態と、該表示部の収納状態を中立位置として異なる変位方向にそれぞれの回転軸を中心に可動させる第１変位手段、および、第２変位手段を有し、該第２変位手段には、該表示部を該第１変位手段によって可動させるときの支点となる第１の支点、および、該第１変位手段には、該表示部を該第２変位手段によって可動させるときの支点となる第２の支点を有し、本体外観部には、該表示部を可動させるために手動で操作する回転操作部、本体筺体内には、該回転操作部の回転を伝達する回転伝達部が設けられ、該回転伝達部と噛みあった自転部を中心に公転する公転部を有するアイドラー装置が、該回転操作部の操作方向の切り替えによって公転方向が切り替わり、該第１変位手段と一体で回転する第１連結部、あるいは、該第２変位手段と一体で回転する第２連結部との間で選択的に連結され、回転操作部の駆動を伝達するとともに、該第１変位手段と該第２変位手段には、それぞれの第１連結部と第２連結部に噛みあった該アイドラー装置の公転部の離脱を防ぐ規制部を設けたことを特徴としている。
【０００９】
請求項２の発明は、請求項１の可動表示装置において、アイドラー装置は、第１変位手段の第１連結部、あるいは、第２変位手段の第２連結部と噛みあった状態で、所定以上の回転伝達負荷が加えられた時、公転部を空転させる空転機構を有することを特徴としている。
【００１０】
請求項３の発明は、請求項１又は請求項２の可動表示装置において、第１の変位手段に対して第１の支点、および、第２の変位手段に対しての第２の支点は、表示部の対向する端面近傍に配置されていることを特徴としている。
【００１１】
請求項４の発明は、請求項１乃至請求項３の何れかの可動表示装置において、第１の変位手段に対して第１の支点、および、第２の変位手段に対しての第２の支点は、表示部の対向する両端面近傍に一対で配置されていることを特徴としている。
【００１２】
請求項５の発明は、請求項１乃至請求項３の何れかの可動表示装置において、回転操作部は、本体筺体保持している手の指で操作して表示部を本体筺体に対して変位させることを特徴としている。
【００１３】
請求項６の発明は、請求項５の可動表示装置において、回転操作部は、本体筺体背面に設け、親指操作で行うこと、あるいは、操作部は、本体筺体上面に設け、人差し指操作で行うこと、あるいは、本体筺体上面稜線部に設け、人差し指操作で行うことを特徴としている。
【００１４】
請求項７の発明は、請求項１乃至請求項６の何れかの可動表示装置において、本体筺体に撮影レンズを有し、少なくとも撮影画像を表示する表示部とし、表示部は、本体筺体の撮影レンズの光軸の略背面部に可動可能に配置されていることを特徴としている。
【発明の効果】
【００１５】
請求項１の可動表示装置によれば、表示部収納状態から、異なる面方向への表示面変位がひとつの回転操作部の操作で容易にかつ確実に切り替えできる。請求項２の可動表示装置によれば、表示部収納状態から、異なる面方向への表示面変位が、回転操作部の操作に対し追従性を含む操作性がよく、外的圧力による機械的破壊のない連動機構が可能となる。請求項３の可動表示装置によれば、表示部収納状態から、異なる面方向への表示面変位が、スムーズな動きで実現できる。請求項４の可動表示装置によれば、表示部収納状態から、異なる面方向への表示面変位が、さらにスムーズな動きで実現できる。請求項５の可動表示装置によれば、本体筺体を保持する側の片手操作で表示面変位が可能となる。請求項６の可動表示装置によれば、本体筺体を保持した状態のまま、指操作で表示面変位が可能となる。請求項７の可動表示装置によれば、撮影光軸との視差が少ない表示部配置で、撮影フレーミングが容易となる。表示部収納状態から、異なる面方向への表示面変位が一つの回転操作部材の変位方向の切り替えによってできるため、ハイアングル、ローアングル体勢での動画撮影が容易となる。
【図面の簡単な説明】
【００１６】
【図１】本発明の第１の実施形態による可動表示部を変位させる連動機構の可動表示部収納状態を示す概略平面図
【図２】（ａ）は本発明の第１の実施形態による可動表示部を収納させた状態を示す撮影機器の斜視図、（ｂ）は可動表示部を収納させた状態を示す撮影機器の別方向からみた斜視図
【図３】本発明の第１の実施形態による可動表示部を変位させる連動機構の可動表示部を下方に傾斜させた状態を示す概略平面図
【図４】本発明の第１の実施形態による可動表示部を下方に傾斜させた状態を示す撮影機器の斜視図
【図５】本発明の第１の実施形態による可動表示部を変位させる連動機構の可動表示部を上方に傾斜させた状態示す概略平面図
【図６】本発明の第１の実施形態による可動表示部を上方に傾斜させた状態を示す撮影機器の斜視図
【図７】本発明の第１の実施形態による可動表示部を収納状態から下方に傾斜させた状態まで変位させる連動機構の動作説明図
【図８】本発明の第１の実施形態による可動表示部を下方に傾斜させた状態から収納状態まで変位させる連動機構の動作説明図
【図９】本発明の第１の実施形態による可動表示部を収納状態から上方に傾斜させた状態まで変位させる連動機構の動作説明図
【図１０】本発明の第１の実施形態による可動表示部を上方に傾斜させた状態から収納状態まで変位させる連動機構の動作説明図
【図１１】（ａ）は本発明の第１の実施形態による連動機構の切り替えを行うギアユニットの組み込み状態の斜視図、（ｂ）は連動機構の切り替えを行うギアユニットの組み込み状態の別方向から見た斜視図
【図１２】本発明の第１の実施形態による連動機構の切り替えを行うギアユニットの組み込み状態の断面図
【図１３】（ａ）は本発明の第１の実施形態による連動機構の切り替えを行うギアユニットの部品展開図、（ｂ）は連動機構の切り替えを行うギアユニットの別方向から見た部品展開図
【図１４】（ａ）は本発明の第２の実施形態による可動表示部を収納させた状態を示す撮影機器の斜視図、（ｂ）は可動表示部を収納させた状態を示す撮影機器の別方向から見た斜視図
【図１５】本発明の第２の実施形態による可動表示部を変位させる連動機構の可動表示部収納状態を示す概略平面図
【図１６】本発明の第３の実施形態による可動表示部を変位させる連動機構の可動表示部を内面側から見た部分斜視図
【発明を実施するための形態】
【００１７】
以下、本発明を実施するための形態を図面に基づいて詳細に説明する。
【００１８】
＜第１の実施形態＞
図１〜図１３を参照して本発明の第１の実施形態による可動表示装置を説明する。図１、２は可動表示部収納状態での可動表示部を変位させる連動機構の概略平面図と可動表示装置を含むカメラの外観斜視図を示している。図３、４は可動表示部が下向きに変位した状態での可動表示部を変位させる連動機構の概略平面図と可動表示装置を含むカメラの外観斜視図を示している。図５、６は可動表示部が上向きに変位した状態での可動表示部を変位させる連動機構の概略平面図と可動表示装置を含むカメラの外観斜視図を示している。
【００１９】
図７〜図１０は、それぞれ、可動表示部が収納状態から下向き状態に変位していく過程、可動表示部が下向き状態から収納状態に変位していく過程、可動表示部が収納状態から上向き状態に変位していく過程、可動表示部が上向き状態から収納状態に変位していく過程を説明した概略平面図、図１１〜１３は、可動表示部を変位させる連動機構の一部で、可動表示部を上向き変位駆動と下向き変位駆動を切り替えるアイドラーギア部詳細を示した斜視図、断面図、展開図である。連動機構の概略平面図は、カメラを撮影光軸に対して、垂直方向の断面で示しているが、断面位置は可視しやすい位置を模擬的に断面化したものであり、同一垂直面で断面化したものではない。
【００２０】
図１〜図１３において、１は表示筺体であり、カメラ本体２の撮影レンズ４２の背面側に配置され、カメラ本体２に対して、上下方向に傾斜変位可能に連結されている。３は、表示筺体１を連動機構を介して変位させるためにカメラ使用者が操作する操作ダイアルであり、カメラ本体２の背面側、かつ、カメラ本体２を把持する右手側に配置されている。この位置は、カメラ使用者がカメラ本体２を右手で把持したときに、カメラ使用者の親指にて操作しやすい位置となっている。図中、４０は液晶表示部、４１は、カメラのレンズ鏡筒、４３は、撮影レンズの倍率を切り替えるズームレバー、４４は、撮影操作を行うレリーズボタンである。
【００２１】
図１、図３、図５、および、図１１〜図１３において、４は操作ダイアル３と直結されたダイアルギア、５はダイアルギア４と連動した太陽ギア、２２は太陽ギア５と連動して回転、及び、太陽ギア５の周りを公転する第１遊星ギアで、図１１〜図１３に示されるように、太陽ギア５と第１遊星ギア２２は、遊星レバー６に固定結合された所定の回転中心軸間隔の太陽軸２３と遊星軸２４に回転可能に結合している。
【００２２】
太陽ギア５と太陽軸２３との間には太陽圧縮バネ２０が圧縮配置され、太陽ギア５を軸方向、かつ、遊星レバー６側に付勢することで、太陽ギア５と遊星レバー６の間に摩擦が生じ、太陽ギア５の回転に伴って遊星レバー６が一緒に回転し、第１遊星ギア２２が太陽ギア５の周りを公転する。太陽ギア５と遊星レバー６の間の摩擦力より第１遊星ギア２２以降の回転伝達負荷が大きくなると、太陽ギア５の回転に対して遊星レバー６は空転する。
【００２３】
７は第１遊星ギア２２と軸方向に重ねて配置された第２遊星ギア、第１遊星ギア２２と第２遊星ギア７は、遊星軸２４に同軸で回転可能に配置されている。また、遊星軸２４と第２遊星ギア７の間に配置された遊星圧縮バネ２１によって第１遊星ギア２２と第２遊星ギア７は、軸方向、かつ、遊星レバー６側に付勢されている。第１遊星ギア２２と第２遊星ギア７の接触面側には、それぞれ傾斜面２２ａ、７ａが設けられている。
【００２４】
遊星圧縮バネ２１の付勢力による負荷に対して、第２遊星ギア７以降の回転伝達負荷が小さい場合、傾斜面２２ａは、傾斜面７ａを乗り越えないので第１遊星ギア２２と第２遊星ギア７は一体で回転する。遊星圧縮バネ２１の付勢力による負荷に対して、第２遊星ギア７以降の回転伝達負荷が大きい場合、傾斜面２２ａは、傾斜面７ａを乗り越えて、第２遊星ギア７に対して、第１遊星ギア２２は空転する。
【００２５】
８は、第２遊星軸２２と同軸で遊星レバー６より突出した逃げ防止ピンである。９は第２遊星ギア７が反時計回転方向（以後ＣＣＷ方向）へ公転したときにかみ合い、連動して回転する第１作動レバーギア、１１は第１作動レバーで、第１作動レバー回転軸１１ａを中心に、第１作動レバーギア９と一体で回転する。
【００２６】
第１作動レバー１１の一端には第１カム部１１ｂが設けられており、表示部筺体１の第１係合ピン１ａと係合している。第１作動レバー１１の他端には、第１逃げ防止部１１ｃが設けられ、第２遊星ギア７が第１作動レバーギア９とかみ合っている状態で、逃げ防止ピン８と係合して、第２遊星ギア７が第１作動レバーギア９から離れるのを防いでいる。
【００２７】
１０は第２遊星ギア７が時計回転方向（以後ＣＷ方向）へ公転したときにかみ合い、連動して回転する第２作動レバーギア、１２は第２作動レバーで、第２作動レバー回転軸１２ａを中心に、第２作動レバーギア１０と一体で回転する。第２作動レバー１２の一端には第２カム部１２ｂが設けられており、表示部筺体１の第２係合ピン１ｂと係合している。第２作動レバー１２の他端には、第２逃げ防止部１２ｃが設けられ、第２遊星ギア７が第２作動レバーギア１０とかみ合っている状態で、逃げ防止ピン８と係合して、第２遊星ギア７が第２作動レバーギア１０から離れるのを防いでいる。
【００２８】
上記のような構成で、図７〜図１０を使って、操作ダイアル３を操作することによって、表示筺体１が、カメラ本体２に対して傾斜する連動を順を追って説明する。
【００２９】
図７は表示筺体１を収納状態から下方に傾斜させた状態まで変位させる連動機構の動作説明図である。図中、上列左の表示筺体１の収納状態から操作ダイアル３をＣＷ方向に回転させるとダイアルギア４がＣＷに回転、太陽ギア５がＣＣＷ方向に回転し、第１遊星ギア２２、第２遊星ギア７がＣＣＷ方向に公転し始める（上列右）。第２遊星ギア７が第１作動レバーギア９と噛みあうまで公転すると、不図示のストッパーで遊星レバー６が停止し、第２遊星ギア７と第１作動レバーギア９が所定軸間隔で噛みあう（中列右）。そして第１作動レバーギア９が第１作動レバー１１と共にＣＣＷ方向へ回転する。
【００３０】
第１作動レバー１１がＣＣＷ方向に回転すると第１カム部１１ｂが表示筺体１の第１係合ピン１ａを押し、表示筺体１がカメラ本体２から離れようとする。この時、表示筺体１の第２係合ピン１ｂが表示筺体１の回転作動中心となり、表示筺体１はカメラ本体２に対して下向きに傾き始める。この時、第１係合ピン１ａは、第１カム部１１ｂの長穴内を移動するとともに、第１逃げ防止部１１ｃは逃げ防止ピン８と係合するため第１遊星ギア２２、第２遊星ギア７は第１作動レバーギア９に対して離れる方向への移動を規制される。これにより第２遊星ギア７と第１作動レバーギア９との噛みあいが不用意に外れることが無くなるため、操作ダイアル３を回転させているのに第２遊星ギア７が第１作動レバーギア９から離れて、表示筺体１が追従して動かないといった事態を防いでいる（中列左）。そして、図中下列のように、第１カム部１１ｂの長穴の端に係合ピン１ａが突き当たる位置まで回転して表示筺体１は停止する。
【００３１】
表示筺体１が停止した後、さらに操作ダイアル３をＣＷ方向に回転させると、遊星圧縮バネ２１の付勢力による負荷に対して、第２遊星ギア７以降の回転伝達負荷が大きいので、傾斜面２２ａが、傾斜面７ａを乗り越えて、第２遊星ギア７に対して、第１遊星ギア２２は空転し、それ以上、表示筺体１を下方に傾斜させる方向に回転が伝わらない。また、図中下列の状態で、表示筺体１の下方傾斜状態から収納状態へ戻るような外圧を加えた場合、第１係合ピン１ａから第１カム部１１ｂに力が加わり、第１作動レバー１１、第１作動レバーギア９をＣＷ方向へ回転させようとするが、第１逃げ防止部１１ｃが逃げ防止ピン８と係合し、第２遊星ギア７より操作ダイアル３側の連結が保たれている。そのため、遊星圧縮バネ２１の付勢力による負荷に対して、第１遊星ギア２２の回転伝達負荷が大きくなり、傾斜面７ａが傾斜面２２ａを乗り越えて、第１遊星ギア２２に対して第２遊星ギア７は空転し、太陽ギア５に回転が伝わらないため、連動機構が破壊されることはない。
【００３２】
続いて、図８は表示筺体１を下方に傾斜させた状態から収納状態まで変位させる連動機構の動作説明図である。図中、上列左は、図７の下列の状態と同じであり、この状態から、操作ダイアル３をＣＣＷ方向に回転させると、ダイアルギア４がＣＣＷに回転、太陽ギア５がＣＷ方向に回転、第１遊星ギア２２、第２遊星ギア７がＣＣＷ方向に公転し、第１作動レバーギア９と噛みあい、第１作動レバーギア９と第１作動レバー１１がＣＷ方向に回転し、第１カム部１１ｂが表示筺体１の係合ピン１ａを押し、表示筺体１がカメラ本体２に近づこうとする。この時、表示筺体１の第２係合ピン１ｂが表示筺体１の回転作動中心となり、表示筺体１はカメラ本体２に対して収納位置側へ傾き始め、第１係合ピン１ａは、第１カム部１１ｂの長穴内を移動する。この時、第１遊星ギア２２、第２遊星ギア７は、逃げ防止部１１ｃが逃げ防止ピン８と係合しているため、第１作動レバーギア９との噛みあいが外れないので、上記、連動が保たれる（上列右）。
【００３３】
表示筺体１が下方に傾斜された状態から収納状態まで移動すると、第１逃げ防止部１１ｃと逃げ防止ピン８との係合が外れる（中列右）。さらに、操作ダイアル３をＣＣＷ方向に回転させると第１遊星ギア２２、第２遊星ギア７がＣＷ方向に公転し始める（中列左）。そして、下列の状態まで、第１遊星ギア２２がＣＷ方向に公転すると、図７の上列左の表示筺体１が収納された状態に戻る。
【００３４】
図９は表示筺体１を収納状態から上方に傾斜させた状態まで変位させる連動機構の動作説明図である。図９中、上列左は、図７の上列左、図８の下列の状態と同じであり、この可動表示部の収納状態から、操作ダイアル３をＣＣＷ方向に回転させるとダイアルギア４がＣＣＷに回転、太陽ギア５がＣＷ方向に回転し、第１遊星ギア２２、第２遊星ギア７がＣＷ方向に公転し始める（上列右）。第２遊星ギア７が第２作動レバーギア１０と噛みあうまで公転すると、不図示のストッパーで遊星レバー６が停止し、第２遊星ギア７と第２作動レバーギア１０が所定軸間隔で噛みあう（中列右）。そして第２作動レバーギア１０が第２作動レバー１２と共にＣＷ方向へ回転する。
【００３５】
第２作動レバー１２がＣＷ方向に回転すると第２カム部１２ｂが表示筺体１の第２係合ピン１ｂを押し、表示筺体１がカメラ本体２から離れようとする。この時、表示筺体１の第１係合ピン１ａが表示筺体１の回転作動中心となり、表示筺体１はカメラ本体２に対して上向きに傾き始める。この時、係合ピン１ｂは、第２カム部１２ｂの長穴内を移動するとともに、第２逃げ防止部１２ｃは逃げ防止ピン８と係合するため第１遊星ギア２２、第２遊星ギア７は第２作動レバーギア１０に対して離れる方向への移動を規制される。これにより第２遊星ギア７と第２作動レバーギア１０との噛みあいが不用意に外れることが無くなるため、操作ダイアル３を回転させているのに、第２遊星ギア７が第２作動レバーギア１０から離れて、表示筺体１が追従して動かないといった事態を防いでいる（中列左）。そして、図中下列のように、第２カム部１２ｂの長穴の端に第２係合ピン１ｂが突きあたる位置まで回転して表示筺体１は停止する。
【００３６】
表示筺体１が停止した後、さらに操作ダイアル３をＣＣＷ方向に回転させると、遊星圧縮バネ２１の付勢力による負荷に対して、第２遊星ギア７以降の回転伝達負荷が大きくなるので、傾斜面２２ａが、傾斜面７ａを乗り越えて、第２遊星ギア７に対して、第１遊星ギア２２は空転し、それ以上、表示筺体１を傾斜させる方向に回転が伝わらない。また、図中下列の状態で、表示筺体１の傾斜状態から収納状態へ戻るような外圧を加えた場合、第２係合ピン１ｂから第２カム部１２ｂに力が加わり、第２作動レバー１２、第２作動レバーギア１０をＣＣＷ方向へ回転させようとするが、第２逃げ防止部１２ｃが逃げ防止ピン８と係合し、第２遊星ギア７より操作ダイアル３側の連結が保たれている。そのため、遊星圧縮バネ２１の付勢力による負荷に対して、第１遊星ギア２２の回転伝達負荷が大きくなり、傾斜面７ａが傾斜面２２ａを乗り越えて、第１遊星ギア２２に対して第２遊星ギア７は空転し、それ以上、太陽ギア５に回転が伝わらないため、連動機構が破壊されることはない。
【００３７】
続いて、図１０は表示筺体１を上方に傾斜させた状態から収納状態まで変位させる連動機構の動作説明図である。図中、上列左は、図９の下列の状態と同じであり、この状態から、操作ダイアル３をＣＷ方向に回転させると、ダイアルギア４がＣＷに回転、太陽ギア５がＣＣＷ方向に回転、第１遊星ギア２２、第２遊星ギア７がＣＷ方向に公転し、第２作動レバーギア１０と噛みあい、第２作動レバーギア１０と第２作動レバー１２がＣＣＷ方向に回転し、第２カム部１２ｂが表示筺体１の第２係合ピン１ｂを押し、表示筺体１がカメラ本体２に近づこうとする。この時、表示筺体１の第１係合ピン１ａが表示筺体１の回転作動中心となり、表示筺体１はカメラ本体２に対して収納位置側へ傾き始め、第２係合ピン１ｂは、第２カム部１２ｂの長穴内を移動する。第１遊星ギア２２、第２遊星ギア７は、逃げ防止部１１ｃが逃げ防止ピン８と係合しているため、第２作動レバーギア１０との噛みあいが外れないので、上記、連動が保たれる（上列右）。
【００３８】
表示筺体１が上方に傾斜された状態から収納状態まで移動すると、第２逃げ防止部１２ｃと逃げ防止ピン８との係合が外れる（中列右）。さらに、操作ダイアル３をＣＷ方向に回転させると第１遊星ギア２２、第２遊星ギア７がＣＣＷ方向に公転し始める（中列左）。そして、下列の状態まで、第１遊星ギア２２と第２遊星ギア７が公転すると、図９の上列左の表示筺体１が収納された状態に戻る。
【００３９】
このように、第１の実施形態により、撮影光軸との視差が少ない表示部配置で、撮影フレーミングが容易となる。表示部収納状態から、上向き下向きのどちらへの表示面変位も一つの操作部材の変位方向の切り替えでできるため、ハイアングル、ローアングル体勢での動画撮影が容易となる。
【００４０】
＜第２の実施形態＞
図１４、図１５は本発明の第２の実施形態による可動表示装置であり、可動表示部収納状態での可動表示部を変位させる連動機構の外観斜視図と可動表示装置を含むカメラの概略の平面図を示している。第１の実施形態と同一の符号部の説明は省略する。
【００４１】
５０は、表示筺体１を連動機構を介して変位させるためにカメラ使用者が操作する操作ダイアルであり、カメラ本体２の上面、かつ、表示筺体１のカメラ本体を把持する右手側に配置されている。この位置は、カメラ使用者がカメラ本体２を右手で把持したときに、カメラ使用者の人差し指にて操作できる位置となっている。
【００４２】
図１４、図１５において、５１は操作ダイアル５０と直結されたダイアルハスバギア、５２はダイアルハスバギア５１と連結した第１ハスバギア、５４は第２ハスバギアで、第１ハスバギア５２と連結軸５３で結合され一体で回転する。５５は第３ハスバギアで、ダイアルギア４と一体で回転し、ダイアルギア４が太陽ギア５と連結されている。以後の構成要素は、第１の実施例と同じである。
【００４３】
操作ダイアル５０をカメラ本体２背面側から見てＣＷ方向に回転させるとダイアルハスバギア５１が一体で回転し、連結された第１ハスバギア５２がカメラ本体２の上方から見て、ＣＷ方向に回転する。連結軸５３によって結合された第２ハスバギア５４、及び、第３ハスバギア５５もＣＷ方向に回転し、ダイアルギア４に連結された太陽ギア５はＣＣＷに回転する。以後、第１の実施例の図７での連動と同様の動きにより、表示筺体１はカメラ本体２に対して下向きに傾斜し、図８の説明と同様に下向き傾斜状態から収納状態に移動する。
【００４４】
操作ダイアル５０をカメラ本体背面側から見てＣＣＷ方向に回転させるとダイアルハスバギア５１が一体で回転し、連結された第１ハスバギア５２がカメラ本体２の上方から見て、ＣＣＷ方向に回転する。連結軸５３によって結合された第２ハスバギア５４、及び、第３ハスバギア５５もＣＣＷに回転し、ダイアルギア４に連結された太陽ギア５はＣＷに回転する。以後、第１の実施例の図９での連動と同様の動きにより、表示筺体１はカメラ本体２に対して上向きに傾斜し、図１０の説明と同様に上向き傾斜状態から収納状態に移動する。
【００４５】
このように、第２の実施形態により、操作ダイアルを操作する指をカメラ本体の仕様やデザインに合わせて選択できる。
【００４６】
＜第３の実施形態＞
図１６は本発明の第３の実施形態による可動表示装置であり、可動表示部を変位させる連動機構の作動レバーが可動表示部左右端で一対で設けられた部分に限定して可動表示部を内面側から見た分解斜視図に示している。第１の実施形態と同一の符号部の説明は省略する。
【００４７】
図中、６２は、第１作動レバー１１と第１連結軸６０で結合された第３作動レバーで、第１作動レバー１１ととともに表示筺体１の略左右端で表示筺体１を傾斜させるよう作動する。６３は、第２作動レバー１２と第２連結軸６１で結合された第４作動レバーで、第２作動レバー１２とともに表示筺体１の略左右端で表示筺体１を傾斜させるよう作動する。
【００４８】
表示筺体１を移動させる操作は、不図示の操作ダイアルを操作することにより、太陽ギア５に回転が伝達され、太陽ギア５の回転方向によって、第１遊星ギア２２と第２遊星ギア７の公転方向が変わって、第１作動レバーギア９と第１作動レバー１１、あるいは、第２作動レバーギア１０と第２作動レバー１２に伝達される。回転の伝達により、図７〜図１０で説明されたように表示筺体１を傾斜させる。この時、第１作動レバー１１と第１連結軸６０で結合された第３作動レバー６２、第２作動レバー１２と第２連結軸６１で結合された第４作動レバー６３により表示部筺体１の左右端付近においてそれぞれに作動力が加わるので、表示部の傾斜する動作がスムーズに動くといった効果が得られる。
【００４９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５０】
また本実施例では、カメラの表示部に実施した場合について説明したが、本体部と可動する表示部を備える機器であれば、カメラ以外の電子機器、あるいは、表示部が鏡面といった非電気的な表示でも同様な効果が得られる。
【符号の説明】
【００５１】
１  表示筺体、２  カメラ本体、３  操作ダイアル、４  ダイアルギア、５  太陽ギア、
６  遊星レバー、７  第２遊星ギア、８  逃げ防止ピン、９  第１作動レバーギア、
１０  第２作動レバーギア、１１  第１作動レバー、１２  第２作動レバー、
２０  太陽圧縮バネ、２１  遊星圧縮バネ、２２  第１遊星ギア、２３  太陽軸、
２４  遊星軸
【図１】
2016085241.tif 000003
【図２】
2016085241.tif 000004
【図３】
2016085241.tif 000005
【図４】
2016085241.tif 000006
【図５】
2016085241.tif 000007
【図６】
2016085241.tif 000008
【図７】
2016085241.tif 000009
【図８】
2016085241.tif 000010
【図９】
2016085241.tif 000011
【図１０】
2016085241.tif 000012
【図１１】
2016085241.tif 000013
【図１２】
2016085241.tif 000014
【図１３】
2016085241.tif 000015
【図１４】
2016085241.tif 000016
【図１５】
2016085241.tif 000017
【図１６】
2016085241.tif 000018